(57)【特許請求の範囲】
【請求項１】
既知点に設置された測量装置と、測定点に設けられる複数の受光装置と、前記測量装置および前記受光装置に指令を行う主演算装置とを有する測定システムであって、
前記測量装置は、少なくとも１つが傾斜した２以上の扇状レーザ光線から成る基準面形成用レーザ光線および測距光を回転照射するレーザ光線投光部と、
前記レーザ光線投光部による回転照射の方角を検出する照射方角検出部と、
前記受光装置からの反射測距光を受光して前記測量装置と前記受光装置との間の距離測定を行う測距部と、
前記照射方角検出部による測角データおよび前記測距部による測距データを含む測定データを前記受光装置と前記主演算装置との間で通信する無線通信部とを具備し、
前記受光装置は、前記測距光を前記測量装置に向け反射する反射部と、
前記基準面形成用レーザ光線を受光する受光部と、
前記受光部が前記基準面形成用レーザ光線を受光した受光信号に基づき前記測量装置に対する仰角を演算し、前記仰角と前記測量装置との間の距離に基づき高低位置を演算する受光側制御演算部と、
前記測量装置および前記主演算装置との間で測定点における前記測定データを通信する受光側無線通信部とを具備し、
前記主演算装置は、前記測量装置および前記受光装置との間で通信可能な主無線通信部と、
前記測量装置および複数の前記受光装置において測定した前記測定データを集約して記憶する主記憶部とを具備し、
前記主演算装置は、前記主無線通信部を介して前記測量装置に測定を開始させるための指令信号を発し、前記主無線通信部を介して前記受光装置に測定点の位置情報を送信し、前記受光装置は、前記測量装置から送信される測角データおよび測距データ等の測定データをリアルタイムに受信し、受信した測定データが前記測定点の位置情報と整合した場合に、前記仰角を演算して高低位置を求め、前記測定点における３次元位置データを前記主演算装置または前記測量装置に集約させる第１のモードと、
前記主無線通信部を介して前記測量装置に測定を開始させるための指令信号を発し、前記主無線通信部を介して前記受光装置に測定点の位置情報を送信し、前記受光装置の受光側表示部には、測定点の位置情報と、前記受光装置自身の測定データとの偏差に基づき誘導方向が表示され、測定点の位置情報と、前記受光装置自身の測定データとが整合した場合に、前記仰角を演算して高低位置を求め、前記測定点における３次元位置データを前記主演算装置または前記測量装置に集約させる第２のモードと、
前記主記憶部が施工データを格納し、施工データから得られる測定点の位置情報と前記測量装置が測定した前記受光装置自身の測角および測距結果とを基に前記受光装置に誘導情報を送信し、受光側表示部に誘導方向を表示させ、測定点の位置情報と、前記受光装置自身の測定データとが整合した場合に、前記仰角を演算して高低位置を求め、前記測定点における３次元位置データを前記主演算装置または前記測量装置に集約させる第３のモードとを選択可能としたことを特徴とする測定システム。
【請求項２】
前記測量装置、前記受光装置、または前記主演算装置は、前記測定データを遠隔地の制御装置に集約させることを特徴とする請求項１に記載の測定システム。
【請求項３】
前記主演算装置または前記制御装置は、集約した前記測定データを合成して表示する表示部を具備することを特徴とする請求項１または２に記載の測定システム。
【請求項４】
前記主演算装置または前記制御装置の表示部は、複数の前記受光装置が測定した複数の測定点について前記受光装置ごとに軌跡を表示することを特徴とする請求項１または２に記載の測定システム。
【請求項５】
複数の前記受光装置は、前記測定データを前記測量装置に集約させることを特徴とする請求項１に記載の測定システム。
【発明の詳細な説明】
【技術分野】
【０００１】
本発明は、複数の測定点の位置情報を同時に測定する測定システムに係り、作業効率を向上させた測定システムに関する。
【背景技術】
【０００２】
土木工事、例えば道路工事等に伴う測量では、道路両測位置測定、高低差の測定、道路幅の測定等があり、測量作業は、複数人の測量作業者による共同作業となる。
【０００３】
従来、トータルステーションにより測量を行う場合、道路両測に沿って所定間隔、例えば１０ｍ、あるいは２０ｍ間隔で杭を打ち、測量補助者が杭打ち地点で測定対象物（例えばプリズムが装着されたポール）を支持し、測量技術者がトータルステーション側から測定対象物について測量を実施し、各杭打ち点についての測量データの収集を行っていた。
【０００４】
上記したトータルステーションを用いた測量方法では、測量技術者から測量補助者に対して測量についての指示を出す必要があり、特に複数の測量補助者がいる場合には、作業性が悪く、また測量補助者についても所定の測量知識、測量技術が要求される作業であるため、測量コストが掛るという問題があった。
【０００５】
規模の小さい現場では通常測量知識、測量技術を持っている測量補助者を確保することは難しく、測量技術者は、測量技術者の作業、現場施工技術者の作業、現場監督の作業を一人で並行処理しなければならない。このため、作業は繁雑で、また非能率的であった。このような問題を解決する技術として、測定対象物を持つ測量補助者を簡便に測定点に誘導することができる測量装置が開示されている（例えば、特許文献１）。
【０００６】
また、複数の測量補助者がいる場合には、同時に測定する測定点も複数となり、これらのデータの管理を効率良くする必要がある。測定点を管理する技術としては、測定点の分布を定量的かつ直感的に把握、評価することができる測量点管理装置が開示されている（例えば、特許文献２）。
【特許文献１】特開平１１−８３４８４号公報
【特許文献２】特開平１０−２３２１３０号公報
【発明の開示】
【発明が解決しようとする課題】
【０００７】
ところで、複数の測定点の位置情報を複数人で同時に測定する場合には、測量技術者および測量補助者がそれぞれ測定したデータは、事務所に持ち帰った後に手動で合成されて測定結果の確認が行われていた。測量の際には、測定点名の重複、測定ミス、および必要な測定データの不足等の人為的なミスがあるため、合成作業は、作業者全員の話を総合的に勘案して進める必要があった。
【０００８】
また、合成作業が完了するまでは測定結果が分からないため、その結果によっては、測量現場で後日再測定を行わなければならないといった問題があった。このため、複数の測定点の位置情報を複数人で同時に測定するシステムとしては、作業効率が悪いものであった。
【０００９】
このような背景において、本発明は、複数の測定点の位置情報を同時に測定する測定システムにおいて、作業効率を向上させる技術を提供することを目的とする。
【課題を解決するための手段】
【００１０】
請求項１に記載の発明は、既知点に設置された測量装置と、測定点に設けられる複数の受光装置と、前記測量装置および前記受光装置に指令を行う主演算装置とを有する測定システムであって、前記測量装置は、少なくとも１つが傾斜した２以上の扇状レーザ光線から成る基準面形成用レーザ光線および測距光を回転照射するレーザ光線投光部と、前記レーザ光線投光部による回転照射の方角を検出する照射方角検出部と、前記受光装置からの反射測距光を受光して前記測量装置と前記受光装置との間の距離測定を行う測距部と、前記照射方角検出部による測角データおよび前記測距部による測距データを含む測定データを前記受光装置と前記主演算装置との間で通信する無線通信部とを具備し、前記受光装置は、前記測距光を前記測量装置に向け反射する反射部と、前記基準面形成用レーザ光線を受光する受光部と、前記受光部が前記基準面形成用レーザ光線を受光した受光信号に基づき前記測量装置に対する仰角を演算し、前記仰角と前記測量装置との間の距離に基づき高低位置を演算する受光側制御演算部と、前記測量装置および前記主演算装置との間で測定点における前記測定データを通信する受光側無線通信部とを具備し、前記主演算装置は、前記測量装置および前記受光装置との間で通信可能な主無線通信部と、前記測量装置および複数の前記受光装置において測定した前記測定データを集約して記憶する主記憶部とを具備し、前記主演算装置は、前記主無線通信部を介して前記測量装置に測定を開始させるための指令信号を発し、前記主無線通信部を介して前記受光装置に測定点の位置情報を送信し、前記受光装置は、前記測量装置から送信される測角データおよび測距データ等の測定データをリアルタイムに受信し、受信した測定データが前記測定点の位置情報と整合した場合に、前記仰角を演算して高低位置を求め、前記測定点における３次元位置データを前記主演算装置または前記測量装置に集約させる第１のモードと、前記主無線通信部を介して前記測量装置に測定を開始させるための指令信号を発し、前記主無線通信部を介して前記受光装置に測定点の位置情報を送信し、前記受光装置の受光側表示部には、測定点の位置情報と、前記受光装置自身の測定データとの偏差に基づき誘導方向が表示され、測定点の位置情報と、前記受光装置自身の測定データとが整合した場合に、前記仰角を演算して高低位置を求め、前記測定点における３次元位置データを前記主演算装置または前記測量装置に集約させる第２のモードと、前記主記憶部が施工データを格納し、施工データから得られる測定点の位置情報と前記測量装置が測定した前記受光装置自身の測角および測距結果とを基に前記受光装置に誘導情報を送信し、受光側表示部に誘導方向を表示させ、測定点の位置情報と、前記受光装置自身の測定データとが整合した場合に、前記仰角を演算して高低位置を求め、前記測定点における３次元位置データを前記主演算装置または前記測量装置に集約させる第３のモードとを選択可能としたことを特徴とする測定システムである。
【００１１】
請求項１に記載の発明によれば、測量装置および複数の受光装置が測定した測定データは、１箇所（主演算装置）に集約される。このため、複数の受光装置の測定結果を手作業で集約する手間がなくなるため、作業効率が向上する。また、請求項１に記載の発明によれば、測定システムは、測定点へ自ら移動する第１のモード（セルフモード）と、測定点へ誘導可能な第２のモード（ナビモード）と、施工データに基づいて測定点へ誘導可能な第３のモード（オートナビモード）とを備えており、いずれのモードにおいても、１箇所（主演算装置または測量装置）に測定データが集約されるため、作業効率が向上する。
【００１２】
請求項２に記載の発明は、請求項１に記載の発明において、前記測量装置、前記受光装置、または前記主演算装置は、前記測定データを遠隔地の制御装置に集約させることを特徴とする。請求項２に記載の発明によれば、遠隔地において作業の進行状況および測定結果を把握することができる。
【００１３】
請求項３に記載の発明は、請求項１または２に記載の発明において、前記主演算装置または前記制御装置は、集約した前記測定データを合成して表示する表示部を具備することを特徴とする。請求項３に記載の発明によれば、複数の受光装置の測定結果がその場で把握できるため、作業の進行状況を把握できるとともに、再測定を後日行う必要がなく、作業効率が向上する。
【００１４】
請求項４に記載の発明は、請求項１または２に記載の発明において、前記主演算装置または前記制御装置の表示部は、複数の前記受光装置が測定した複数の測定点について前記受光装置ごとに軌跡を表示することを特徴とする。請求項４に記載の発明によれば、複数の受光装置が測定した複数の測定点を容易に識別することができるため、作業効率が向上する。
【００１５】
請求項５に記載の発明は、請求項１に記載の発明において、複数の前記受光装置は、前記測定データを前記測量装置に集約させることを特徴とする。請求項５に記載の発明によれば、主演算装置は、測定データを必要に応じて測量装置から受信することで、他の受光装置の測定結果や作業の進行状況を把握することができる。
【発明の効果】
【００１８】
本発明によれば、複数の測定点の位置情報を同時に測定する測定システムにおいて、作業効率を向上することができる。
【発明を実施するための最良の形態】
【００１９】
以下、図面を参照しつつ本発明を実施するための最良の形態を説明する。
【００２０】
まず、図１、図２により本発明の実施の形態における測定システムの概要を説明する。図１に示される測量装置１では、水平基準面を形成すると共に測定対象物２までの距離測定が可能である。
【００２１】
測量装置１は、基準面形成部３と測距部４とを具備している。測量装置１は、既知点に設置され、基準面形成用レーザ光線５を定速で回転照射すると共に、測距光６を回転照射可能であり、測定対象物２からの反射される測距光６を受光することで複数箇所の測定対象物２までの距離を測定可能としている。
【００２２】
基準面形成部３は、少なくとも１つが傾斜した２以上の扇状レーザ光線から成る基準面形成用レーザ光線５（図中では３の扇状レーザ光線で構成され光束断面がＮ字状となっている）を定速で回転照射して水平基準面を形成する。なお、１つが傾斜した３以上の扇状レーザ光線を回転照射するレーザ装置としては、本出願人が特開２００４−２１２０５８号に於いて回転レーザ装置を提案している。
【００２３】
基準面形成用レーザ光線５を回転照射し、測定対象物２が受光装置７を具備し、受光装置７が２以上の扇状レーザ光線を受光した場合の受光時の時間差を求めることで、時間差と傾斜した扇状レーザ光線の傾斜角より測量装置１を中心とした水平基準面５に対する仰角を求めることができる。また、仰角に傾斜基準面の設定が可能である。
【００２４】
また、Ｎ字状の扇状レーザ光線５を回転照射すると共に測距光６を回転照射する測量装置について、本出願人は特願２００５−１６５１８５において出願している。測距光が回転照射されることで、複数の測定対象物２についての距離測定も同時に行うことができる。したがって、測定された仰角と測定された距離とで測定対象物２について高さ方向の位置が測定できる。
【００２５】
図３は、本発明の測定システムの概略構成を示しており、測量装置１は、基準面形成部３、測距部４、制御演算部８、記憶部９、操作部１１、基準面形成用レーザ光線５を回転照射させるための第１回動モータ１２、測距光６を回転照射させるための第２回動モータ５２、基準面形成部３を駆動するための基準面形成駆動部１３、第１回動モータ１２、第２回動モータ５２を駆動するためのモータ駆動部１５、測距部４を駆動するための測距駆動部１４、受光装置７と通信するための無線通信部１７、測距光６の照射方向（水平角）を検出する照射方角検出部である第１エンコーダ１６を主に具備し、基準面形成駆動部１３、測距駆動部１４、モータ駆動部１５は制御演算部８によって駆動が制御される。
【００２６】
また、受光装置７は、ポール１８上の既知の位置に設置され、基準面形成用レーザ光線５を受光するための受光部１９と測距光６を反射するためのプリズム２０等の反射体、測量装置１の無線通信部１７と無線通信するための受光側無線通信部２１、受光側制御演算部２２、受光側記憶部２３、受光側操作部２４、受光側表示部２５を主に具備している。なお、受光側表示部２５をタッチパネルとして受光側操作部２４の機能を兼ねさせてもよい。
【００２７】
なお、受光側無線通信部２１は、他の測定対象物２の受光側無線通信部２１とも無線通信が可能となっている。
【００２８】
受光側記憶部２３には後述する受光時間差に基づき仰角を演算する演算プログラム、仰角と測距データに基づき高さ位置を演算する演算プログラム、受光側無線通信部２１を介して測量装置１、他の受光装置７、後述する主無線通信部１１５と無線通信するための通信プログラム、受光側表示部２５に指示内容、作業内容、通信内容等を表示するための画像表示プログラムが格納され、また測量装置１から送信された測定データ、受光装置７で得られた測定データが格納記憶されるようになっている。
【００２９】
次に、本発明の測定システムに用いられる測量装置１について説明する。
【００３０】
図４は、本発明に係る測量装置１のレーザ光線投光部２６を示しており、レーザ光線投光部２６は、基準面を形成する基準面用投光部２７、測距用投光部２８とから構成され、基準面用投光部２７は基準面形成用レーザ光線５を、また測距用投光部２８は測距光６をそれぞれ独立して照射可能となっている。なお、本実施の形態では基準面形成用レーザ光線５と測距光６の照射方向は同一となっているが、必ずしも同一でなくてもよく、例えば、１８０°反対でもよい。
【００３１】
図４中、２９は測量装置１の筐体の天井部２９を示しており、筐体の内部には基準面形成用のレーザ光源部（図示せず）が収納されている。天井部２９の上側には円筒状の投光窓３０が配置され、投光窓３０は透明ガラス等の材質で基準面用投光部２７の光軸と同心に設けられている。投光窓３０の上端には上基板３８が設けられ、投光窓３０の内部には中間基板３１が設けられている。
【００３２】
基準面用投光部２７の光軸と同心に、円筒状のプリズムホルダ３２が配置され、プリズムホルダ３２は軸受３３、３４を介して天井部２９、中間基板３１に回転自在に支持されている。
【００３３】
プリズムホルダ３２の内部には偏向光学部材としてペンタプリズム４２が設けられ、ペンタプリズム４２に対向する第１投光孔４３がプリズムホルダ３２に突設され、基準面形成用のレーザ光源部から射出された基準面形成用レーザ光線５は、ペンタプリズム４２で水平方向に偏向され、第１投光孔４３を通して水平方向に照射される様になっている。
【００３４】
プリズムホルダ３２の上端には第１回転ギア３５が設けられ、中間基板３１には第１回動モータ１２が取付けられ、第１回動モータ１２の出力軸に嵌着した第１駆動ギア３７が第１回転ギア３５に噛合している。第１回動モータ１２を駆動することで第１駆動ギア３７が回転され、第１回転ギア３５、プリズムホルダ３２を介してペンタプリズム４２が回転され、基準面形成用レーザ光線５が水平面内を回転されるようになっている。
【００３５】
また、中間基板３１には第１エンコーダ１６が取付けられ、第１エンコーダ１６は第１回転ギア３５の回転角を検出し、検出された回転角により基準面形成用レーザ光線５および後述する測距光６の照射方向が検出される。
【００３６】
プリズムホルダ３２と同心にプリズムホルダ３２上側にミラーホルダ４４が設けられ、ミラーホルダ４４に偏向光学部材として反射鏡４５が保持され、反射鏡４５の反射面に対向した部分に第２投光孔４６が設けられている。ミラーホルダ４４とプリズムホルダ３２とは一体化されており、ペンタプリズム４２と反射鏡４５とは光軸を同じく一体に回転する。なお、光軸を同じくして回転する場合は、必ずしも一体でなくてもよい。
【００３７】
上基板３８には鏡筒４７が設けられ、鏡筒４７の中心はミラーホルダ４４との中心と合致しており、また鏡筒４７には集光レンズ４８が保持されている。鏡筒４７には軸受４９を介して回転リング５０が回転自在に設けられ、回転リング５０には第２回転ギア５１が嵌着されている。
【００３８】
上基板３８には第２回動モータ５２が設けられ、第２回動モータ５２の出力軸に第２駆動ギア５３が嵌着され、第２駆動ギア５３は第２回転ギア５１に噛合している。
【００３９】
また、回転リング５０には反射プリズム保持部材５４が固着され、反射プリズム保持部材５４には基準反射部として内部光路用の基準反射プリズム５５が固着されている。内部光路上、例えば基準反射プリズム５５の反射面に振幅フィルタ（光学濃度フィルタ）５６が設けられている。振幅フィルタ５６は、水平方向（回動方向）に連続的に濃度が変化し、レーザ光線の透過光量が連続的に減少、もしくは連続的に増加するようになっている。なお、振幅フィルタ５６は、濃度が段階的に変化してもよく、実質的に回転走査方向に漸次濃度が変化していればよい。
【００４０】
具体的に、前記基準反射プリズム５５をコーナーキューブとし、中心付近の透過率が高く、周辺に行く程透過率が低くなる様にした光学フィルタをコーナーキューブに貼設する。
【００４１】
上基板３８に第２エンコーダ５８が取付けられ、第２エンコーダ５８の入力軸に第２従動ギア５７が嵌着され、第２従動ギア５７は第２回転ギア５１と噛合している。
【００４２】
第２回動モータ５２が駆動されることで、第２駆動ギア５３、第２回転ギア５１、回転リング５０を介して基準反射プリズム５５が振幅フィルタ５６と一体に回転され、また回転リング５０の回転角は、第２回転ギア５１、第２従動ギア５７を介して第２エンコーダ５８により検出される様になっている。
【００４３】
集光レンズ４８の光軸上に偏向ミラー６２が配設され、偏向ミラー６２の反射面に対向する様に射出様光ファイバ６１の射出端が位置決めされている。また、集光レンズ４８の光軸上、集光位置には受光光ファイバ６３の入射端が位置決めされている。
【００４４】
射出用光ファイバ６１は、発光素子５９（後述）が射出する測距光６を偏向ミラー６２に導き、受光用光ファイバ６３は、反射測距光６’、内部参照光６’’を受光素子６５（後述）に導く。
【００４５】
図５〜図９を参照して測量装置１、すなわちレーザ光線投光部２６に対する受光装置７の仰角の測定を説明する。
【００４６】
以下、仰角γ、受光装置７位置での水平線に対する高低差Ｈについて、図５を参照して説明する。図５は、受光部１９と基準面形成用レーザ光線５との関係を示している。なお、レーザ光線投光部２６の高さは、予め測定されており、既知となっている。
【００４７】
基準面形成用レーザ光線５が回転照射され、基準面形成用レーザ光線５が受光部１９を横切る。ここで、基準面形成用レーザ光線５がファンビーム５ａ、５ｂ、５ｃで構成されているので、受光部１９が点状の受光素子であっても受光が可能であり、受光装置７の位置合わせを正確に行わなくてよい。
【００４８】
基準面形成用レーザ光線５が受光部１９を横切ることで、ファンビーム５ａ、５ｂ、５ｃそれぞれが受光部１９を通過し、受光部１９からは各ファンビーム５ａ、５ｂ、５ｃに対応した３つの受光信号４０ａ、４０ｃ、４０ｂが発せられる。
【００４９】
受光部１９が基準面形成用レーザ光線５に対して図５〜図８に示すＡ点の位置にある場合、すなわち受光部１９が基準面形成用レーザ光線５の中心にある場合の受光信号は、図９（Ａ）で示され、３つの受光信号４０ａ、４０ｃ、４０ｂの時間間隔は等しくなる。図中、Ｔは基準面形成用レーザ光線５が一回転する周期である。
【００５０】
また、受光部１９が基準面形成用レーザ光線５の中心よりずれ、図５〜図８に示すＢ点の位置にある場合の受光信号４０ａ、４０ｃ、４０ｂの時間間隔は異なる（図９（Ｂ）参照）。図６中、受光部１９が図の右から左へと相対移動するとして、受光信号４０ａと受光信号４０ｃとの間隔が短く、受光信号４０ｃと受光信号４０ｂとの間隔が長くなる。
【００５１】
なお、図６で示される基準面形成用レーザ光線５の光束の断面形状は、受光装置７とレーザ光線投光部２６の距離に関わらず相似形であるので、時間間隔比を求めることで、無次元化した図形中の受光部１９の通過位置が演算できる。また、測量装置１を中心としたＢ点位置までの仰角γが直ちに演算でき、また仰角γとレーザ光線投光部２６と受光装置７間の距離Ｌから受光装置７位置での水平線に対する高低差Ｈが実測できる。
【００５２】
なお、前述したように、複数の扇状ビームで構成される形状は、Ｎ字状でなくても、少なくとも１つが傾斜しており、傾斜角等形状に関して既知のものであればよい。
【００５３】
図１０を参照して測距部４について説明する。
【００５４】
発光素子５９の射出光軸上に集光レンズ６０が配設され、集光レンズ６０の集光位置に射出用光ファイバ６１の入射端が配置される。射出用光ファイバ６１は前述したように偏向ミラー６２に測距光６を導く。
【００５５】
集光レンズ４８の集光位置に受光用光ファイバ６３の入射端が配置され、受光用光ファイバ６３の射出端は集光レンズ６４の光軸上に配置され、受光用光ファイバ６３から射出された反射測距光６’、内部参照光６’’は、集光レンズ６４によって受光素子６５に集光される。
【００５６】
測距駆動部１４は、制御演算部８からの制御信号に基づき発光素子５９の駆動発光を制御し、また受光回路６８は受光素子６５からの受光信号を増幅、Ａ／Ｄ変換する等の所要の処理を行い、処理された信号は制御演算部８に送出される。
【００５７】
制御演算部８は、記憶部９を具備しており、記憶部９には、距離測定に伴う演算を行う測距演算プログラムあるいは測定を実行するためのシーケンスプログラム、受光装置７との無線通信を実行するための通信プログラム等のプログラム等を格納し、また測定範囲を含む地理データ、測定箇所を設定する等の測定スケジュールに関するデータ等のデータが格納され、さらに記憶部９は、受光素子６５からの受光信号の経時的な光量変化、測定中データ等を記憶するようになっている。
【００５８】
制御演算部８は、シーケンスプログラムに基づき、第１回動モータ１２用の第１モータ制御部６６、第２回動モータ５２用の第２モータ制御部６７に制御信号を発し、第１モータ制御部６６が第１回動モータ１２の回転および停止を制御し、第２モータ制御部６７が第２回動モータ５２の回転および停止を制御する。
【００５９】
第１エンコーダ１６は、ミラーホルダ４４の回転角を検出して制御演算部８に送出し、また第２エンコーダ５８は、基準反射プリズム５５の回転角を検出して制御演算部８に入力する。
【００６０】
以下、測定の作用について説明する。
【００６１】
発光素子５９は、測距駆動部１４によって一定周波数で強度変調されて発光し、測距用のレーザ光線を射出する。発光素子５９からのレーザ光線は、集光レンズ６０で射出用光ファイバ６１の入射端に集光される。射出用光ファイバ６１に導かれたレーザ光線は、射出端から測距光６として射出され、測距光６は、偏向ミラー６２により集光レンズ４８の光軸上に反射され、さらに集光レンズ４８で集光されて反射鏡４５に入射し、反射鏡４５により偏向され、投光窓２８より所要の広がり角を有する扇状レーザ光線として水平方向に照射される。
【００６２】
測距光６が射出され、基準面形成用レーザ光線２１が射出された状態で、第１回動モータ１２が駆動され、第１駆動ギア３７、第１回転ギア３５を介してペンタプリズム４２、反射鏡４５が回転され、投光窓３０より基準面形成用レーザ光線５、測距光６が回転照射、あるいは少なくとも測定対象物２が存在する測定エリアを往復走査される。
【００６３】
なお、距離測定が行われる状態、すなわち測距光６が照射される状態では、第２回動モータ５２により基準反射プリズム５５が回転され、測定対象物２の方向、すなわち、測距方向から外れた状態となっており、また第２回動モータ５２は停止され、基準反射プリズム５５は、測定に影響しない所定位置で保持されている。
【００６４】
なお、測定対象物２が複数あり、基準反射プリズム５５が所定位置に保持されると測定に支障がある場合は、反射鏡４５の回転に呼応して基準反射プリズム５５が回転され、測定方向と基準反射プリズム５５の位置とが重複することを避けるようにしてもよい。すなわち、測定対象物２が存在する方向は、第１エンコーダ１６によって検出することができるので、予め回転走査を行い測定対象物の位置を求めておき、第２エンコーダ５８からの検出結果を基に基準反射プリズム５５を測定方向から外れた位置に移動させるようにできる。
【００６５】
測距光６が定速で回転照射され、測距光６が測定対象物２を通過することで、測定対象物２で測距光６が反射される。測定対象物２で反射された反射測距光６’は、反射鏡４５に入射し、反射鏡４５で反射され、さらに集光レンズ４８で集光されて受光用光ファイバ６３に入射端面から入射する。受光用光ファイバ６３から射出した反射測距光６’は、集光レンズ６４で集光され、受光素子６５に受光される。受光素子６５からの受光信号は、増幅、Ａ／Ｄ変換される等して制御演算部８に送出され、制御演算部８を介して記憶部９に記憶される。
【００６６】
また、測距光６が回転照射されることで、測距光６は、基準反射プリズム５５も通過し、通過する過程で基準反射プリズム５５で反射され、反射されたレーザ光線は、さらに反射鏡４５で反射され、集光レンズ４８、受光用光ファイバ６３を経て内部参照光６’’として受光素子６５に受光される。
【００６７】
この時、射出用光ファイバ６１、反射鏡４５、基準反射プリズム５５、反射鏡４５、受光用光ファイバ６３を経て受光素子６５に至る光路は、内部参照光路を形成する。また、この内部参照光路の長さは、設計値、あるいは実測により既知の値となっている。
【００６８】
また、基準反射プリズム５５の反射面には振幅フィルタ５６が設けられており、振幅フィルタ５６を測距光６が横断することで、光量の異なる測距光６が基準反射プリズム５５で反射されることになる。受光素子６５は、光強度が異なる内部参照光６’’を受光し、光強度の異なる受光信号を出力する。また、振幅フィルタ５６で変化される光強度の範囲は、受光部のダイナミックレンジの範囲で最大、もしくはダイナミックレンジの範囲内となる様に設定されればよい。
【００６９】
受光素子６５からの受光信号は、受光回路６８に入力され、受光回路６８は、反射測距光６’、内部参照光６’’についての受光信号を増幅、Ａ／Ｄ変換する等の所要の処理を行い、処理された信号は、制御演算部８に送出され、制御演算部８を介して記憶部９に記憶される。制御演算部８は、記憶部９に格納された測距演算プログラムにより、記憶部９に記憶された受光信号に基づき反射測距光６’と内部参照光６’’の位相差を演算し、演算した位相差と光速から測定対象物までの距離を演算する。
【００７０】
反射測距光６’は、測定対象物２までの距離に対応して受光強度が変化する。すなわち、測定対象物２が近距離にある場合は、反射測距光６’は光強度が大きく、また測定対象物２が遠距離にある場合は、反射測距光６’の光強度は小さい。したがって、内部参照光６’’と反射測距光６’とを対比させ位相差を正確に演算する場合、受光素子６５における内部参照光６’’と反射測距光６’の受光強度を等しくする必要がある。
【００７１】
記憶部９には受光素子６５からの受光信号の経時的な光量変化が記憶されており、記憶された受光信号の内、反射測距光６’の光強度と等しい、あるいは同等な光強度を有する受光信号を抽出し、抽出した受光信号を測定のための反射測距光６’とする。
【００７２】
そして、適正な光強度を有する内部参照光が光路の切換えなしで得られる。
【００７３】
測距データは、無線通信部１７から受光側無線通信部２１へ送信され、受光側無線通信部２１で受信された測距データは、受光側記憶部２３に格納される。
【００７４】
基準面形成用レーザ光線５も回転照射されており、基準面形成用レーザ光線５は、測定対象物２を通過する。基準面形成用レーザ光線５を構成する３の扇状レーザ光線が、受光部１９を通過する。受光部１９は、３の扇状レーザ光線を個々に受光し、それぞれ受光信号を発する。受光側制御演算部２２において受光信号の受光間隔（受光時間差）が演算され、仰角と測量装置１と測定対象物２間の測距結果に基づき受光部１９の高さ位置が求められる（図３参照）。
【００７５】
そして、測定点の３次元の位置データが取得できる。
【００７６】
測定システムでは、さらに測量作業を統括する主演算装置として、さらに小型のＰＣ等の演算装置が装備される。小型のＰＣとしては、例えば携帯可能なＰＤＡ７３（図２参照）が挙げられる。ＰＤＡ７３は、測定対象物２のポール１８に設置されてもよいし、測量者７１が携帯しても良い。さらに、主演算装置としての機能を測定対象物２の受光装置７に具備させてもよい。
【００７７】
以下、ＰＤＡ７３の概略を説明する。
【００７８】
ＰＤＡ７３は、主に制御演算部１１１、主記憶部１１２、操作部１１３、表示部１１４、主無線通信部１１５を具備し、主無線通信部１１５は、無線通信部１７を介して測量装置１と、受光側無線通信部２１を介して受光装置７と無線通信可能であり、主記憶部１１２には通信プログラム、表示部１１４に作業内容、通信内容等を表示するための画像表示プログラム、出来形測量、横断測量、測設、現況測量等各種測量を実行するためガイダンス等を行うためのガイダンスプログラム、自動誘導プログラム、あるいは出来形測量、横断測量、測設、現況測量等の測定モードを選択するためのモード選択プログラム、各種測定モード毎に表示部１１４から入力する場合のガイダンス表示を行うメニュープログラム等が格納され、測定が実施される地域の地図、工事を施工するための設計データが格納され、測定が実施される地域の地図、工事を施工するための設計データが格納され、また測量装置１から送信された測距データ、受光装置７で得られた仰角データが格納、記憶される様になっている（図３参照）。
【００７９】
表示部１１４は、独立して個別に設けられてもよく、あるいは表示部１１４をタッチパネルとし操作部の機能を兼ねさせてもよい。
【００８０】
次に、上記測量装置１、複数の測定対象物２を具備し、複数点を同時に測定する測定システムの動作について図１１〜図１８を参照して説明する。
【００８１】
測定対象物２は、図１３に示すように、測量者Ａと、測量者Ａを補助する２人の測量補助者Ｂ、Ｃによって支持されている。測定対象物２には、受光装置７と、小型のＰＣ等の演算装置、例えばＰＤＡ７３が装備される。
【００８２】
ＰＤＡ７３と、受光装置７と、測量装置１とは相互に、また個々に無線通信可能となっている。無線通信の形態としては、測量装置１をサーバとする無線ＬＡＮが構築されてもよい。
【００８３】
また、データの授受は、受光装置７間で直接行うようにしてもよく、あるいは測量装置１を介して受光装置７間でデータ授受を行うようにしてもよい。
【００８４】
なお、以下の説明では、ＰＤＡ７３の表示部１１４がタッチパネルとなっており、表示部１１４が受光装置７の操作部２４の機能を有する。
【００８５】
表示部１１４には作業内容に応じた画面が表示され、また画面は作業内容に応じて切替えられるようになっている。
【００８６】
図１１に示すように、ＰＤＡ７３の表示部１１４において、セルフモード、ナビモード、オートナビモードを選択することができる。
【００８７】
まず、図１２、１３を参照してセルフモードを説明する。
【００８８】
測量者Ａ、測量補助者Ｂ、Ｃは、ＰＤＡ７３でセルフモードを選択する（ＳＴＥＰ：０２）。ＰＤＡ７３から測量装置１に対して測定要求が送信され（ＳＴＥＰ：１１）、測量装置１による距離測定が開始され、また測量装置１が測定対象物２（受光装置７）を認識する（ＳＴＥＰ：１２）。
【００８９】
受光装置７は、測量装置１から測距・測角結果をリアルタイムで受信し、測距・測角結果は受光装置７の表示部２５に表示される。測量者Ａおよび測量補助者Ｂ、Ｃは、表示された測距・測角結果で自身の位置を確認し、測定点に移動する（ＳＴＥＰ：１３）。
【００９０】
受光装置７自身の位置が測定点の位置に合致した場合、あるいは許容範囲に入った場合（整合した場合）、受光装置７は、測量装置１から測定点までの距離を表す測距データと、測量装置１から測定点への水平角を表す測角データとを取得する（ＳＴＥＰ：１４）。また、受光装置７は、基準面形成用レーザ光線５を検出することで測量装置１に対する仰角を演算し、測距データと仰角に基づき受光装置７の高低位置を演算する。そして、測角データ、測距データ、高低位置に基づいて３次元の位置データを演算する（ＳＴＥＰ：１５）。
【００９１】
受光装置７で演算が完了すると、測量者Ａおよび測量補助者Ｂ、Ｃの測定点の３次元位置データ等の測定データは、測量装置１に送信されて、集約される（ＳＴＥＰ：１６）。この際、受光装置７は、測定完了信号を測量者Ａおよび測量補助者Ｂ、ＣのＰＤＡ７３にも送信する。測定点データを受信した測量装置１は、施工名、測定者名、測定時刻、受光装置７の識別情報等とともに、測定点の３次元座標データを記憶部９に記憶する。これにより、測量者Ａおよび測量補助者Ｂ、Ｃは、測量装置１からいつでも測定点データをＰＤＡ７３に取得することができる。
【００９２】
そして、測量装置１は、測量者ＡのＰＤＡ７３に測量補助者Ｂ、Ｃの測定点データを送信する（ＳＴＥＰ：１７）。なお、受光装置７は、測量装置１を介さずに、測量補助者Ｂ、Ｃの測定点データを測量者ＡのＰＤＡ７３に直接送信してもよい。測量者ＡのＰＤＡ７３は、測定点データを主記憶部１１２に記憶する。
【００９３】
測量者ＡのＰＤＡ７３には、図１３に示すように、測量者Ａの測定点の３次元座標データとともに、測量補助者Ｂ、Ｃの測定点の３次元座標データが同じ３次元座標上に合成されて表示される（ＳＴＥＰ：１８）。この際、測定点、測定点の位置座標、および測定者名等が表示される。これにより、測量者Ａは、作業の進行状況を把握することができる。
【００９４】
１つの測定点について測量が完了すると、測量者Ａおよび測量補助者Ｂ、Ｃは、次の測定点に移動して、ＰＤＡ７３から測量装置１に対して測定要求を送信することにより測量を継続する。なお、測量が継続する度に、図１３に示すように、測量者ＡのＰＤＡ７３には、測量者Ａおよび測量補助者Ｂ、Ｃの受光装置７ごとに各測定点を直線等で結んだ軌跡を表示することができる。また、測量補助者Ｂ、ＣのＰＤＡ７３には自身が測定した測定点の軌跡を表示することができる。
【００９５】
次に、図１４、１５を参照してナビモードを選択した場合を説明する。
【００９６】
測量者Ａは、ＰＤＡ７３でナビモードを選択する（ＳＴＥＰ：０３）。
【００９７】
測量者Ａは、各測量補助者Ｂ、Ｃを測定点に誘導するために、測定点の指示データを入力する。例えば、測定点の識別番号、位置、誘導完了時（測定点決定時）の施工データに対する許容量を設定する（ＳＴＥＰ：２１、ＳＴＥＰ：２２）。例えば、図１５に示すように、測量者Ａは、測量補助者Ｂに対して測定点ＰＴ１０→測定点ＰＴ２１→・・・を設定し、測量補助者Ｃに対して測定点ＰＴ１００→・・・を設定する。
【００９８】
設定が完了すると、測量装置１が測定を開始し、受光装置７を認識する（ＳＴＥＰ：２３）。測量者ＡのＰＤＡ７３から測量補助者Ｂ、Ｃの受光装置７それぞれに対応した誘導情報が送信される（ＳＴＥＰ：２４）。
【００９９】
誘導中、測量装置１による受光装置７の位置が継続して測定され、測定結果は受光装置７にリアルタイムで送信される。受光装置７は送信された測定結果と誘導情報の測定点位置を比較し、誘導方向を演算する。
【０１００】
なお、測量装置１は、測定した受光装置７の位置情報を測量補助者Ｂ、ＣのＰＤＡ７３にリアルタイムで送信し、ＰＤＡ７３で測定点と測定した位置との差に基づき誘導方向を演算し、誘導信号として受光装置７に送信してもよい。
【０１０１】
誘導方向の演算に基づき、測量補助者Ｂ、ＣのＰＤＡ７３に誘導方向に対応した矢印が点灯し、測量補助者Ｂ、Ｃは、点灯された矢印方向に移動する（ＳＴＥＰ：２５）。誘導している受光装置７の位置が許容量の範囲に入ったら（整合）、誘導が完了したことを測量補助者Ｂ、Ｃに告知する。なお、矢印は点滅するようにし、測定点に近くなる程点滅間隔を短くするようにしてもよい。
【０１０２】
受光装置７は、整合時の測距・測角結果を測距・測角データとして取得する（ＳＴＥＰ：２６）。
【０１０３】
受光装置７は、基準面形成用レーザ光線５を検出することで測量装置１に対する仰角を演算し、測距データと仰角に基づき受光装置７の高低位置を演算する。そして、測角データ、測距データ、高低位置に基づいて３次元の位置データを演算する（ＳＴＥＰ：２７）。
【０１０４】
受光装置７で演算が完了すると、測量者Ａおよび測量補助者Ｂ、Ｃの測定点データは、測量装置１に送信されて、集約される（ＳＴＥＰ：２８）。この際、受光装置７は、測定完了信号を測量者Ａおよび測量補助者Ｂ、ＣのＰＤＡ７３に送信する。測定点データを受信した測量装置１は、施工名、測定者名、測定時刻、受光装置７の識別情報等とともに、測定点の３次元座標データを記憶部９に記憶する。これにより、測量者Ａおよび測量補助者Ｂ、Ｃは、測量装置１からいつでも測定点データをＰＤＡ７３に取得することができる。
【０１０５】
そして、測量装置１は、測量者ＡのＰＤＡ７３に測量補助者Ｂ、Ｃの測定点の３次元座標データを送信する（ＳＴＥＰ：２９）。なお、受光装置７は、測量装置１を介さずに、測量補助者Ｂ、Ｃの測定点データを測量者ＡのＰＤＡ７３に直接送信してもよい。
【０１０６】
測量者ＡのＰＤＡ７３には、測量者Ａの測定点の３次元座標データとともに、測量補助者Ｂ、Ｃの測定点の３次元座標データが同じ３次元座標上に合成されて表示される（ＳＴＥＰ：３０）。この際、測定点、測定点の３次元座標、および測定者名等が表示される。これにより、測量者Ａは、作業の進行状況を把握することができる。
【０１０７】
１つの測定点について測量が完了すると、測量者Ａは、次の測定点に対する誘導を測量補助者Ｂ、Ｃに対して行う。なお、測量が継続する度に、測量者ＡのＰＤＡ７３には、測量者Ａおよび測量補助者Ｂ、Ｃの受光装置７ごとに各測定点を直線等で結んだ軌跡を表示することができる。また、測量補助者Ｂ、ＣのＰＤＡ７３には自身が測定した測定点の軌跡を表示することができる。
【０１０８】
次に、図１６を参照してオートナビモードを選択した場合を説明する。
【０１０９】
測量者Ａおよび測量補助者Ｂ、Ｃは、ＰＤＡ７３でオートナビモードを選択すると（ＳＴＥＰ：０４）、ＰＤＡ７３の主記憶部１１２に記憶された施工データが読み込まれ、自動誘導プログラムが起動、展開される（ＳＴＥＰ：４１）。また、測量装置１による測定が開始される。
【０１１０】
自動誘導プログラムの展開により、施工データに基づき測量者Ａおよび測量補助者Ｂ、Ｃの受光装置７に誘導情報が送信される（ＳＴＥＰ：４２）。
【０１１１】
誘導中、測量装置１による受光装置７の位置が継続して測定され、測定結果は受光装置７にリアルタイムで送信される（ＳＴＥＰ：４３）。受光装置７は、送信された測定結果と受信した誘導情報との比較により、誘導方向が演算される。
【０１１２】
誘導方向の演算に基づき、測量者Ａおよび測量補助者Ｂ、ＣのＰＤＡ７３に誘導方向に対応した矢印が点灯し、測量補助者Ｂ、Ｃは、点灯された矢印方向に移動する（ＳＴＥＰ：４４）。誘導している受光装置７の位置が許容量の範囲に入ったら、誘導が完了したことを測量補助者Ｂ、Ｃに告知する。なお、矢印は点滅するようにし、測定点に近くなる程点滅間隔を短くするようにしてもよい。
【０１１３】
受光装置７から、１つの誘導完了の信号が測量装置１に送信され、受光装置７について距離測定・水平角測定が実行され、測量装置１から測距・測角結果が対応する受光装置７に送信される。受光装置７は、測量装置１から測距・測角結果を受信するとともに基準面形成用レーザ光線５を検出することで測量装置１に対する仰角を演算し、測距結果と仰角に基づき受光装置７の高低位置を演算する。そして、測角データ、測距データ、高低位置に基づいて３次元の位置データを演算する（ＳＴＥＰ：４５）。
【０１１４】
受光装置７で演算が完了すると、測量者Ａおよび測量補助者Ｂ、Ｃの測定点データは、測量装置１に送信されて、集約される（ＳＴＥＰ：４６）。この際、受光装置７は、測定完了信号を測量者Ａおよび測量補助者Ｂ、ＣのＰＤＡ７３にも送信する。測定点の３次元座標データを受信した測量装置１は、施工名、測定者名、測定時刻、受光装置７の識別情報等とともに、測定点の３次元座標データを記憶部９に記憶する。これにより、測量者Ａおよび測量補助者Ｂ、Ｃは、測量装置１からいつでも測定点データをＰＤＡ７３に取得することができる。
【０１１５】
そして、測量装置１は、測量者ＡのＰＤＡ７３に測量補助者Ｂ、Ｃの測定点の３次元座標データを送信する（ＳＴＥＰ：４７）。なお、受光装置７は、測量装置１を介さずに、測量補助者Ｂ、Ｃの測定点の３次元座標データを測量者ＡのＰＤＡ７３に直接送信してもよい。
【０１１６】
測量者ＡのＰＤＡ７３には、測量者Ａの測定点の３次元座標データとともに、測量補助者Ｂ、Ｃの測定点の３次元座標データが同じ３次元座標上に合成されて表示される（ＳＴＥＰ：４８）。この際、測定点、測定点の位置座標、および測定者名等が表示される。これにより、測量者Ａは、作業の進行状況を把握することができる。
【０１１７】
また、測量者Ａおよび測量補助者Ｂ、ＣのＰＤＡ７３は、施工データに基づいて測定の進行状況をチェックし、進行状況を表示する（ＳＴＥＰ：４８）。進行状況は、測定が完了した測定点を点灯し、誘導すべき測定点を点滅することにより表示される。また、ＰＤＡ７３は、測定が完了した測定点数および全体の測定点数も表示する。その後、ＰＤＡ７３は、次の測定点についての誘導情報を受光装置７に送信して誘導作業を継続する。
【０１１８】
また、進行状況のチェックの結果、全ての測定点についての測定が完了すると、自動誘導プログラムが終了し、全ての誘導が完了する（ＳＴＥＰ：４９）。
【０１１９】
次に、図１７を参照して、遠隔地の制御装置から誘導または遠隔地の制御装置に測定データを集約する場合について、オートナビモードを例に挙げて説明する。なお、集約方法は、上記セルフモードまたはナビモードでも同様である。
【０１２０】
測量者Ａおよび測量補助者Ｂ、Ｃは、ＰＤＡ７３でオートナビモードを選択すると（ＳＴＥＰ：０４）、ＰＤＡ７３は、遠隔地の制御装置であるＰＣ７４から受信した施工データまたはＰＤＡ７３の主記憶部１１２に記憶された施工データを読み込む（ＳＴＥＰ：５１）。ＰＤＡ７３が、遠隔地のＰＣ７４から施工データを受信する場合、基地局７５、基地局７６を介して受信する。無線通信の形態としては、例えば、携帯電話で用いられるＰＤＣ（ｐｅｒｓｏｎａｌ  ｄｉｇｉｔａｌ  ｃｅｌｌｕｌａｒ）方式やＣＤＭＡ（ｃｏｄｅ  ｄｉｖｉｓｉｏｎ  ｍｕｌｔｉｐｌｅ  ａｃｃｅｓｓ）方式を利用してもよい。
【０１２１】
また、ＰＤＡ７３で自動誘導プログラムが呼び込まれ、自動誘導プログラムが起動、展開される（ＳＴＥＰ：５２）。また、測量装置１による測定が開始される。
【０１２２】
自動誘導プログラムの展開により、施工データに基づき測量補助者Ｂ、Ｃの受光装置７に誘導情報が送信される（ＳＴＥＰ：５３）。
【０１２３】
誘導中、測量装置１による受光装置７の位置が継続して測定され、測定結果は受光装置７にリアルタイムで送信される（ＳＴＥＰ：５４）。受光装置７は、送信された測定結果と受信した誘導情報との比較により、誘導方向が演算される。
【０１２４】
誘導方向の演算に基づき、測量者Ａおよび測量補助者Ｂ、ＣのＰＤＡ７３に誘導方向に対応した矢印が点灯し、測量補助者Ｂ、Ｃは、点灯した矢印方向に移動する（ＳＴＥＰ：５５）。誘導している受光装置７の位置が許容量の範囲に入ったら、誘導が完了したことを測量補助者Ｂ、Ｃに告知する。なお、矢印は点滅するようにし、測定点に近くなる程点滅間隔を短くするようにしてもよい。
【０１２５】
受光装置７から、１つの誘導完了の信号が測量装置１に送信され、受光装置７について距離測定・水平角測定が実行され、測量装置１から測距・測角結果が対応する受光装置７に送信される。受光装置７は、測量装置１から測距・測角結果を受信するとともに基準面形成用レーザ光線５を検出することで測量装置１に対する仰角を演算し、測距結果と仰角に基づき受光装置７の高低位置を演算する。そして、測角データ、測距データ、高低位置に基づいて３次元の位置データを演算する（ＳＴＥＰ：５６）。
【０１２６】
受光装置７で演算が完了すると、測量者Ａおよび測量補助者Ｂ、Ｃの測定点の３次元座標データ等は、測量装置１に送信されて、集約される（ＳＴＥＰ：５７）。この際、受光装置７は、測定完了信号を測量者Ａおよび測量補助者Ｂ、ＣのＰＤＡ７３に送信する。測定点の３次元座標データを受信した測量装置１は、施工名、測定者名、測定時刻、受光装置７の識別情報等とともに、測定点の３次元座標データを記憶部９に記憶する。これにより、測量者Ａおよび測量補助者Ｂ、Ｃは、測量装置１からいつでも測定点の３次元座標データをＰＤＡ７３に取得することができる。
【０１２７】
そして、測量装置１は、測量者ＡのＰＤＡ７３および／または遠隔地のＰＣ７４に測量補助者Ｂ、Ｃの測定点データを送信する（ＳＴＥＰ：５８）。測量者ＡのＰＤＡ７３および／または遠隔地のＰＣ７４には、図１７に示すように、測量者Ａの測定点の３次元座標データとともに、測量補助者Ｂ、Ｃの測定点の３次元座標データが同じ３次元座標上に合成されて表示される（ＳＴＥＰ：５９）。この際、測定点、測定点の位置座標、および測定者名等が表示される。これにより、測量者Ａまたは遠隔地者は、作業の進行状況および測定結果を把握することができる。
【０１２８】
また、測量者Ａおよび測量補助者Ｂ、ＣのＰＤＡ７３は、施工データに基づいて測定の進行状況をチェックし、進行状況を表示する（ＳＴＥＰ：５９）。進行状況は、測定が完了した測定点を点灯し、誘導すべき測定点を点滅することにより表示される。また、ＰＤＡ７３は、測定が完了した測定点数および全体の測定点数も表示する。その後、ＰＤＡ７３は、次の測定点についての誘導情報を受光装置７に送信して誘導作業を継続する。
【０１２９】
また、進行状況のチェックの結果、全ての測定点についての測定が完了すると、自動誘導プログラムが終了し、全ての誘導が完了する（ＳＴＥＰ：６０）。
【産業上の利用可能性】
【０１３０】
本発明は、複数の測定点の位置情報を同時に測定する測定システムに利用することができる。
【図面の簡単な説明】
【０１３１】
【図１】本発明の実施の形態を示す概略図である。
【図２】本発明の実施の形態の機器構成の概略を示す説明図である。
【図３】本発明の実施の形態の機器構成の概略を示すブロック図である。
【図４】本発明の実施の形態におけるレーザ光線投光部の断面図である。
【図５】本発明の実施の形態における仰角を演算する場合の説明図である。
【図６】本発明の実施の形態における仰角を演算する場合の説明図である。
【図７】本発明の実施の形態における仰角を演算する場合の説明図である。
【図８】本発明の実施の形態における仰角を演算する場合の説明図である。
【図９】（Ａ）（Ｂ）は、本発明の実施の形態における仰角を演算する場合の説明図である。
【図１０】本発明の実施の形態における測距部の概略構成図である。
【図１１】本発明の実施の形態におけるモード選択を示す図である。
【図１２】セルフモードが選択された場合のフローチャートである。
【図１３】セルフモードにおけるデータの流れを示す図である。
【図１４】ナビモードが選択された場合のフローチャートである。
【図１５】ナビモードにおけるデータの流れを示す図である。
【図１６】オートナビモードが選択された場合のフローチャートである。
【図１７】遠隔地誘導または遠隔地集約する場合のデータの流れを示す図である。
【図１８】遠隔地誘導または遠隔地集約する場合のフローチャートである。
【符号の説明】
【０１３２】
１…測量装置、２…測定対象物、３…基準面形成部、４…測距部、５…基準面形成用レーザ光線、６…測距光、７…受光装置、８…制御演算部、９…記憶部、１６…第１エンコーダ（照射方向検出部）、１７…無線通信部、１９…受光部、２０…プリズム（反射部）、２１…受光側無線通信部、２２…受光側制御演算部、２５…受光側表示部、２６…レーザ光線投光部、７１…測量者、７２…測量補助者、７３…ＰＤＡ、７４…遠隔地ＰＣ、７５…基地局、７６…基地局、１１１…制御演算部、１１２…主記憶部、１１３…操作部、１１４…表示部、１１５…主無線通信部。
【図１】
0005124321.tif 000002
【図２】
0005124321.tif 000003
【図３】
0005124321.tif 000004
【図４】
0005124321.tif 000005
【図５】
0005124321.tif 000006
【図６】
0005124321.tif 000007
【図７】
0005124321.tif 000008
【図８】
0005124321.tif 000009
【図９】
0005124321.tif 000010
【図１０】
0005124321.tif 000011
【図１１】
0005124321.tif 000012
【図１２】
0005124321.tif 000013
【図１３】
0005124321.tif 000014
【図１４】
0005124321.tif 000015
【図１５】
0005124321.tif 000016
【図１６】
0005124321.tif 000017
【図１７】
0005124321.tif 000018
【図１８】
0005124321.tif 000019